(57)【特許請求の範囲】
【請求項１】
風呂追い焚き用として用いられるフィン付き熱交換器及びそれを加熱するバーナからなるセットと、一般給湯用として用いられるフィン付き熱交換器及びそれを加熱するバーナからなるセットとを、１個の熱交換缶体内に簡単な仕切りを介してその両側に配置するようにし、風呂追い焚き運転時には風呂追い焚き用セットのバーナとフィン付き熱交換器を用いて追い焚きを行い、一般給湯運転時には一般給湯用セットのバーナとフィン付き熱交換器を用いて一般給湯を行うようにした給湯装置における、前記風呂追い焚き用セットのフィン付き熱交換器のフィン詰まりを検出する装置であって、風呂追い焚き運転中における単位時間当たりの浴槽温度上昇値が正常時における単位時間当たりの最低温度上昇値として予め得た基準値よりも小さい場合には、風呂追い焚き用セットのフィン付き熱交換器のフィン詰まりと判断して風呂追い焚き運転を停止するコントローラを設けたことを特徴とする熱交換器のフィン詰まり検出装置。
【発明の詳細な説明】
【０００１】
【産業上の利用分野】
本発明は熱交換器のフィン詰まりを検出する装置に関する。
【０００２】
【従来の技術】
１個の熱交換缶体内に、風呂追い焚き用のフィン付き熱交換器及びそのバーナからなるセットと一般給湯用のフィン付き熱交換器及びそのバーナからなるセットとを、簡単な仕切り壁を介してその両側に配置した給湯装置が従来提供されている。この給湯装置では、風呂追い焚きのスイッチが入ると、風呂追い焚き用セットのバーナが燃焼せられ、フィン付き熱交換器内に浴槽水が循環されて、追い焚きがなされる。また一般給湯のスイッチが入ると、一般給湯用セットのバーナが燃焼せられ、フィン付き熱交換器内に上水道等からの水が導入されて温水となって供給される。風呂追い焚き用セットと一般給湯用セットを１つの熱交換缶体に納めることで、装置をコンパクトにすることができる。
【０００３】
【発明が解決しようとする課題】
ところが上記従来の熱交換用の２つのセットを簡単な仕切りを介して両側に並列させた１缶２回路の給湯器においては、例えば、ススの付着により風呂追い焚き用のフィン付き熱交換器にフィン詰まりが生じた場合、風呂追い焚き運転によってバーナから発生する高温の燃焼排ガスは、風呂追い焚き用のフィン付き熱交換器をすりぬけて上方へは排気されなくなり、代わりに風呂追い焚き側から一般給湯側へ逃げ、そこから外部に排出されてしまう。よって風呂追い焚きによる浴槽温度の上昇が行われないだけでなく、風呂追い焚き側の缶体壁等も高温に過熱されないことからハイリミットスイッチ等による異常検出機能も上手く働かず、フィン詰まりによる装置の停止ができないという問題があった。
上記問題は一般給湯側のフィン付き熱交換器のフィン詰まりの場合も同様であるが、特に風呂追い焚きの場合には使用者が異常に気付くまでに時間がかかるので、その間に悪い方の熱交換器等が損傷してしまったりする問題もある。
【０００４】
そこで本発明は、上記従来装置の欠点を解消し、風呂追い焚き用の熱交換セットと一般給湯用の熱交換セットとを、１個の熱交換缶体内に簡単な仕切り壁を介してその両側に並列配置した１缶２回路の給湯装置において、風呂追い焚き側の熱交換器のフィン詰まりを確実に検出して、装置の運転を停止することができる熱交換器のフィン詰まり検出装置の提供を目的とする。
【０００５】
【課題を解決するための手段】
上記目的を達成するため、本発明の熱交換器のフィン詰まり検出装置は、風呂追い焚き用として用いられるフィン付き熱交換器及びそれを加熱するバーナからなるセットと、一般給湯用として用いられるフィン付き熱交換器及びそれを加熱するバーナからなるセットとを、１個の熱交換缶体内に簡単な仕切りを介してその両側に配置するようにし、風呂追い焚き運転時には風呂追い焚き用セットのバーナとフィン付き熱交換器を用いて追い焚きを行い、一般給湯運転時には一般給湯用セットのバーナとフィン付き熱交換器を用いて一般給湯を行うようにした給湯装置における、前記風呂追い焚き用セットのフィン付き熱交換器のフィン詰まりを検出する装置であって、風呂追い焚き運転中における単位時間当たりの浴槽温度上昇値が正常時における単位時間当たりの最低温度上昇値として予め得た基準値よりも小さい場合には、風呂追い焚き用セットのフィン付き熱交換器のフィン詰まりと判断して風呂追い焚き運転を停止するコントローラを設けたことを特徴としている。
【０００６】
【作用】
上記本発明の特徴によれば、風呂追い焚き運転中において風呂追い焚き用セットのフィン付き熱交換器にフィン詰まりがある場合には、バーナが燃焼しているにも係わらず、熱交換器が十分に加熱されないので、循環浴槽水が熱交換器で十分に加熱されない。コントローラは、風呂追い焚き運転中、単位時間当たりの浴槽温度上昇値を、基準値として記憶させている正常時における単位時間当たりの最低温度上昇値と比較し、単位時間当たりの浴槽温度上昇値が前記基準値よりも小さい場合には、風呂追い焚き側の熱交換器のフィン詰まりと判断し、風呂追い焚き運転を停止する。
【０００７】
【実施例】
以下に本発明を実施例に基づいて説明する。
図１は本発明の装置を備えた給湯装置の全体構成図、図２はコントローラによるフィン詰まりの検出機構を示すフローチャートである。
【０００８】
図１において、熱交換缶体１０内に、風呂追い焚き用のフィン２１ａ  付き熱交換器２１とバーナ２２とからなるセットと、一般給湯用のフィン３１ａ  付き熱交換器３１とバーナ３２とからなるセットが、上下の位置で開放された簡単な仕切り壁１１を介して両側に並列配置されている。１２は送風手段である。
【０００９】
風呂追い焚きは、浴槽４０から風呂追い焚き循環路２３を通って熱交換缶体１０内のフィン２１ａ  付き熱交換器２１に浴槽水が循環し、またバーナ２２が燃焼することで行われる。前記風呂追い焚き循環路２３の戻り管には循環ポンプ２４と、水流スイッチ２５と、浴槽温度センサ２６が設けられ、また前記バーナ２２には燃料供給弁２７が設けられている。風呂追い焚きスイッチがオンすることで、後述するコントローラ５０による制御下、循環ポンプ２４が駆動し、水流スイッチ２５がオンすると燃料供給弁２７が開いてバーナ２２に点火し、熱交換器２１による瞬間加熱によって追い焚きが開始される。浴槽温度センサ２６が設定浴槽温度を検出すると追い焚きが終了する。一般給湯は、上水道からの水が給水路３３を通って熱交換缶体１０内のフィン３１ａ付き熱交換器３１に導入され、瞬間加熱されて給湯路３４に出湯され、末端のカラン３５等から給湯される。バーナ３２には燃料供給弁３６が設けられている。
【００１０】
コントローラ５０は、装置全体の制御を行うもので、前記水流スイッチ２５、浴槽温度センサ２６、その他のセンサ等からの情報を入力し、内蔵の制御ソフトウエアによる所定の動作をバーナ２２、３２、循環ポンプ２４、燃料供給弁２７、３６、その他の部材に命令する。
【００１１】
コントローラ５０による風呂追い焚き用の熱交換器２１のフィン２１ａ  詰まり検出機構を、図２も参照して説明する。
コントローラ５０には、予め風呂追い焚き運転における、正常時における単位時間当たりの最低温度上昇値を基準値ΔＴｍ  として記憶させておく。この基準値ΔＴｍ  である最低温度上昇値は、例えばバーナ２２を風呂追い焚き運転の最低の入力で燃焼させ、浴槽４０水位を最大水位として追い焚きを行った場合の最低の加熱効率での単位時間当たりの温度上昇値として、実験的に得ることができる。
今、追い焚き運転が開始される（Ｓ１でイエス）と、コントローラ５０は浴槽温度センサ２６からの検出温度を監視し、単位時間当たりの温度上昇値ΔＴを演算して、これを基準値ΔＴｍ  と比較する（Ｓ２）。そして温度上昇値ΔＴが基準値ΔＴｍ  よりも小さい場合（Ｓ２でイエス）には、コントローラ５０は熱交換器２１のフィン２１ａ  の詰まりと判定し（Ｓ３）、故障表示を使用者の目に触れる所に行うと共にバーナ２２の燃焼を停止し、循環ポンプ２４の駆動を停止して風呂追い焚き運転を停止する（Ｓ４）。
【００１２】
【発明の効果】
本発明は以上の構成よりなり、請求項１に記載の熱交換器のフィン詰まり検出装置によれば、風呂追い焚き運転中における単位時間当たりの浴槽温度上昇値が正常時における単位時間当たりの最低温度上昇値として予め得た基準値よりも小さい場合には、風呂追い焚き用セットのフィン付き熱交換器のフィン詰まりと判断して風呂追い焚き運転を停止するコントローラを設けたので、風呂追い焚き用の熱交換器と一般給湯用の熱交換器とを１個の熱交換缶体内に簡単な仕切り壁を介して並列配置した１缶２回路の給湯装置において、風呂追い焚き用の熱交換器のフィン詰まりが生じた場合には、それを確実に検出することができ、且つ安全に装置を停止することができる。
【図面の簡単な説明】
【図１】本発明の装置を備えた給湯装置の全体構成図である。
【図２】コントローラによるフィン詰まりの検出機構を示すフローチャートである。
【符号の説明】
１０  熱交換缶体
１１  簡単な仕切り壁
２１  風呂追い焚き用の熱交換器
２１ａ  フィン
２２  バーナ
２６  浴槽温度センサ
３１  一般給湯用の熱交換器
３１ａ  フィン
３２  バーナ
４０  浴槽
５０  コントローラ
【図１】
0003550747.tif 000002
【図２】
0003550747.tif 000003